(57)【要約】【課題】構造を単純化し表示品質を向上することが可能な表示装置を提供する。【解決手段】表示装置は、光提供部、光提供部の第１側に配置された第１表示パネル部、光提供部の第２側に配置された第２表示パネル部、第２表示パネル部と光提供部との間に配置された収納部、及び第２表示パネル部と収納部との間に配置されたフィルム部材を含み、フィルム部材は、第２表示パネル部と対応して開口が形成され、光提供部の第２側に向う光のうち、光提供部の第１側に向って反射される光量を減少させることにより、表示装置の構造を単純化し表示パネルの表示品質を向上できる。【選択図】図１
2008197658.tif 000002
【特許請求の範囲】
【請求項１】
第１側及び前記第１側と反対側である第２側に向って光を提供する光提供部と、
前記光提供部の第１側に配置され、前記第１側に向う光を用いて第１画像を表示する第１表示パネル部と、
前記光提供部の第２側に配置され、前記第２側に向う光を用いて前記第１画像より小さい第２画像を表示する第２表示パネル部と、
前記第２表示パネル部と前記光提供部との間に配置され、前記光提供部及び前記第１表示パネル部を収納する収納部と、
前記第２表示パネル部と前記収納部との間に配置され、前記第２表示パネル部と対応して開口が形成され、前記光提供部の第１側に向って反射される光量を減少させるためのフィルム部材と、
を含むことを特徴とする表示装置。
【請求項２】
前記フィルム部材は、前記開口の周縁部であって前記第２表示パネル部の周辺部に対応する結合領域を有することを特徴とする請求項１に記載の表示装置。
【請求項３】
前記フィルム部材の結合領域は、接着部材によって前記第２表示パネル部の周辺部と結合されることを特徴とする請求項２に記載の表示装置。
【請求項４】
前記結合領域に隣接して形成され、前記第２表示パネル部の少なくとも一側をガイドする整列部材を更に含むことを特徴とする請求項２に記載の表示装置。
【請求項５】
前記第２表示パネル部は、
前記第２画像を表示する表示パネルと、
前記表示パネルを収納するモールドフレームと、
を含み、前記フィルム部材の結合領域は、前記モールドフレームの周辺部に結合されることを特徴とする請求項２に記載の表示装置。
【請求項６】
前記フィルム部材は、前記光提供部の第１側に向って反射される光量を減少させるために着色されることを特徴とする請求項１に記載の表示装置。
【請求項７】
前記フィルム部材は、黒色または灰色であることを特徴とする請求項６に記載の表示装置。
【請求項８】
前記フィルム部材及び前記収納部は、接着部材によって結合されることを特徴とする請求項１に記載の表示装置。
【請求項９】
前記収納部と前記フィルム部材との間に配置される光学部材を更に含み、
前記光学部材は、前記第２表示パネル部の周辺部に対応する結合領域を有することを特徴とする請求項１に記載の表示装置。
【請求項１０】
前記光学部材の結合領域は、接着部材によって前記第２表示パネル部の周辺部と結合されることを特徴とする請求項９に記載の表示装置。
【請求項１１】
第１側及び前記第１側と反対側である第２側に向って光を提供するバックライトアセンブリと、
前記バックライトアセンブリの第１側に配置され、前記第１側に向う光を用いて第１画像を表示する第１表示パネルと、
前記バックライトアセンブリの第２側に配置され、前記第２側に向う光を用いて前記第１画像より小さい第２画像を表示する第２表示パネルと、
前記第２表示パネルと前記バックライトアセンブリとの間に配置され、前記バックライトアセンブリ及び前記第１表示パネルを収納する第１モールドフレームと、
前記第２表示パネルと前記第１モールドフレームとの間に配置され、前記第２表示パネルに対応して開口が形成され、前記バックライトアセンブリの第１側に向って反射される光量を減少させるためのフィルム部材と、
を含むこと特徴とする表示装置。
【請求項１２】
前記フィルム部材は、前記第２表示パネルの周辺部に対応する結合領域を有することを特徴とする請求項１１に記載の表示装置。
【請求項１３】
前記フィルム部材は、接着部材によって前記第２表示パネルの周辺部と結合されることを特徴とする請求項１２に記載の表示装置。
【請求項１４】
前記結合領域に隣接して形成され、前記第２表示パネルの少なくとも一側をガイドする整列部材を更に含むことを特徴とする請求項１２に記載の表示装置。
【請求項１５】
前記フィルム部材は、前記第１表示パネルに向って反射される光量を減少させるために着色されることを特徴とする請求項１１に記載の表示装置。
【請求項１６】
前記フィルム部材は、黒色または灰色であることを特徴とする請求項１５に記載の表示装置。
【請求項１７】
前記第２表示パネルを収納する第２モールドフレームを更に含み、前記フィルム部材は、前記第２モールドフレームの周辺部に対応する結合領域を有することを特徴とする請求項１１に記載の表示装置。
【請求項１８】
前記フィルム部材は、接着部材によって前記第２モールドフレームの周辺部と結合されることを特徴とする請求項１７に記載の表示装置。
【請求項１９】
前記結合領域に隣接して形成され、前記第２モールドフレームの少なくとも一側をガイドする整列部材を更に含むことを特徴とする請求項１７に記載の表示装置。
【請求項２０】
前記フィルム部材及び前記第１モールドフレームは、接着部材によって結合されることを特徴とする請求項１１に記載の表示装置。
【発明の詳細な説明】
【技術分野】
【０００１】
本発明は、表示装置に係わり、より詳細には構造を単純化し表示パネルの表示品質を向上させることができる表示装置に関する。
【背景技術】
【０００２】
一般的に、液晶表示装置は液晶の電気的特性及び光学的特性を用いて画像を表示する平板表示装置の１つである。
【０００３】
最近では、液晶パネルによる表示が２方向になされるような表示部を含む装置が多く存在し、特に中小型の装置に広く用いられている。このような表示部を含む装置では、メイン液晶表示パネル及びメイン液晶表示パネルより小さいサブ液晶表示パネルを含む構成が考えられる。
【０００４】
従来の２方向に表示することができる液晶表示部を備える装置では、サブ液晶表示パネル側にシャーシが配置され、シャーシに形成された開口にサブ液晶表示パネルが位置する。この場合、メイン液晶表示パネルにはサブ液晶表示パネルに対応して開口の形状が投影されるおそれがあり、表示品質が低下するという問題点がある。
【発明の開示】
【発明が解決しようとする課題】
【０００５】
本発明は、このような従来の問題点を解決するためのものであって、本発明の目的は、構造を単純化し、表示パネルの表示品質を向上することができる表示装置を提供することにある。
【課題を解決するための手段】
【０００６】
本発明の目的を達成するための一実施例による表示装置は、光提供部、第１表示パネル部、第２表示パネル部、収納部、及びフィルム部材を含む。前記光提供部は、第１側及び前記第１側と反対側である第２側に向って光を提供する。前記第１表示パネル部は、前記光提供部の第１側に配置され、前記第１側に向う光を用いて第１画像を表示する。前記第２表示パネル部は、前記光提供部の第２側に配置され、前記第２側に向う光を用いて前記第１画像より小さい第２画像を表示する。前記収納部は、前記第２表示パネル部と前記光提供部との間に配置され、前記光提供部及び前記第１表示パネル部を収納する。前記フィルム部材は、前記第２表示パネル部と前記収納部との間に配置され、前記第２表示パネル部と対応して開口が形成され、前記光提供部の第２側に向う光のうち、前記光提供部の第１側に向って反射される光量を減少させる。
【０００７】
一実施例で、前記フィルム部材は、前記開口の周縁部であって前記第２表示パネル部の周辺部に対応する結合領域を有する。前記フィルム部材の結合領域は、接着部材によって前記第２表示パネル部の周辺部と結合される。前記表示装置は、前記結合領域に隣接して形成され、前記第２表示パネル部の少なくとも一側をガイドする整列部材を更に含むことができる。
【０００８】
例えば、前記第２表示パネル部は、前記第２画像を表示する表示パネルと、前記表示パネルを収納するモールドフレームを含む。ここで、前記フィルム部材の結合領域は、前記表示パネルを収納する前記モールドフレームの周辺部に結合することができる。
【０００９】
前記フィルム部材は、前記光提供部の第２側に向って反射される光量を減少させるために着色することができる。この場合、前記フィルム部材は、黒色または灰色であることができる。
【００１０】
一方、前記フィルム部材及び前記収納部は接着部材によって結合することができる。
【００１１】
一実施例で、前記表示装置は前記収納部と前記フィルム部材との間に配置され、前記第２側に向う光の光学特性を向上させるための光学部材を更に含む。ここで、前記光学部材は、前記第２表示パネル部の周辺部に対応する結合領域を有する。例えば、前記光学部材の結合領域は、接着部材によって前記第２表示パネル部の周辺部と結合される。
【００１２】
前述した本発明一目的を達成するための他の実施例による表示装置は、バックライトアセンブリ、第１表示パネル、第２表示パネル、第１モールドフレーム、及びフィルム部材を含む。前記バックライトアセンブリは、第１側及び前記第１側と反対側である第２側に向って光を提供する。前記第１表示パネルは、前記バックライトアセンブリの第１側に配置され、前記第１側に向う光を用いて第１画像を表示する。前記第２表示パネルは、前記バックライトアセンブリの第２側に配置され、前記第２側に向う光を用いて前記第１画像より小さい第２画像を表示する。前記第１モールドフレームは、前記第２表示パネルと前記バックライトアセンブリとの間に配置され、前記バックライトアセンブリ及び前記第１表示パネルを収納する。前記フィルム部材は、前記第２表示パネルと前記第１モールドフレームとの間に配置され、前記第２表示パネルに対応して開口が形成され、前記バックライトアセンブリの第１側に向って反射される光量を減少させる。
【００１３】
一実施例で、前記フィルム部材は、前記第２表示パネルの周辺部に結合するために前記第２表示パネルの周辺部に対応する結合領域を有する。
【００１４】
他の実施例で、前記表示装置は、前記第２表示パネルを収納する第２モールドフレームを更に含み、前記フィルム部材は、前記第２モールドフレームの周辺部に対応する結合領域を有する。
【００１５】
本発明によると、フィルム部材は、光提供部の第１側に向って反射される光量を減少させるので、表示装置の表示品質が向上し、シャーシを省略するため前記表示装置の構造を単純化することができる。
【発明の効果】
【００１６】
前述したような本発明によると、フィルム部材は、光提供部の第２側に向う光のうち、光提供部の第１側に向って反射される光量を減少させるので、フィルム部材から反射された光量と第２表示パネルから反射された光量との差を減少させることができる。
【００１７】
よって、第１表示パネルで表示される画像の輝度が均一になり、第１表示パネルの裏面側に設けられた開口の形態が投影されることを防止することができる。これによって、表示装置の表示品質を向上することができる。
【００１８】
また、フィルム部材が表示装置の外周を定義するので、従来の表示装置が必要とするシャーシを省略することができ、これによって表示装置の構造を単純化することができる。
【００１９】
以上、本発明の実施例によって詳細に説明したが、本発明はこれに限定されず、本発明が属する技術分野において通常の知識を有するものであれば本発明の思想と精神を離脱することなく、本発明を修正または変更できる。
【発明を実施するための最良の形態】
【００２０】
以下、添付する図面を参照して本発明の望ましい実施例による表示装置について詳細に説明する。
【００２１】
図１は、本発明の一実施例による表示装置を示す分解斜視図である。図２は、図１のＩ−Ｉ’に沿って見た断面図である。
【００２２】
図１及び図２に示すように、表示装置１０００は、光提供部１００、第１表示パネル部２００、第２表示パネル部３００、収納部４００、及びフィルム部材５００を含む。
【００２３】
光提供部１００は、第１側及びこの第１側と反対側である第２側に向って光を提供するものであって、光源１１０及び導光部材１２０を含む。
【００２４】
光源１１０は、光を発生させるものであり、例えば、発光ダイオード（ｌｉｇｈｔ  ｅｍｉｔｔｉｎｇ  ｄｉｏｄｅ；ＬＥＤ）で構成することができ、特に、白色光を発生する白色発光ダイオードとすることができる。
【００２５】
導光部材１２０は、光源１１０から発生した光を水平な方向に沿ってガイドして、第１側方向である第１光出射面１２２に第１光を出射し、第２側方向である第２光出射面１２４に第２光を出射する。
【００２６】
第１表示パネル部２００は、光提供部１００の第１側に配置され、第１側に向う光を用いて第１画像を表示する。
【００２７】
第２表示パネル部３００は、光提供部１００の第２側に配置され、第２側に向う光を用いて第２画像を表示する。ここで、第２画像は第１画像より小さい画像であるものとする。
【００２８】
第１表示パネル部２００は第１表示パネル２１０を含み、第２表示パネル部３００は第２表示パネル３１０を含む。
【００２９】
第１表示パネル２１０は第１基板２１２及び第２基板２１４を含み、第２表示パネル３１０は第１基板３１２及び第２基板３１４を含む。一例として、第１基板（２１２、３１２）は、薄膜トランジスタ（ｔｈｉｎ  ｆｉｌｍ  ｔｒａｎｓｉｓｔｏｒ；ＴＦＴ）が形成された薄膜トランジスタ基板であり、第２基板（２１４、３１４）はカラーフィルタの形成されたカラーフィルタ基板である。第１基板（２１２、３１２）及び第２基板（２１４、３１４）の間には液晶層(図示せず)が注入される。
【００３０】
収納部４００は、第２表示パネル３００及び光提供部１００との間に配置され、光提供部１００及び第１表示パネル部２００を収納する。また、収納部４００は、後述するフィルム部材５００を収納する。図１に示したように、収納部４００はフレーム形状のモールドフレームである。
【００３１】
フィルム部材５００は、第２表示パネル部３００と収納部４００との間に配置され、第２表示部３００と対応して開口（ＯＰ）が形成される。フィルム部材５００は、収納部４００内に配置される。
【００３２】
光提供部１００から第２側方向に提供される第２光の一部は、開口（ＯＰ）を通過して第２表示パネル３１０に到達し、第２光の一部は開口（ＯＰ）を除いたフィルム部材５００の残りの部分に到達する。
【００３３】
ここで、第２表示パネル３１０に到達した光の多くは、第２表示パネル３１０で画像を表示するために用いられ、一部分のみが第１側方向に反射される。開口（ＯＰ）を除いたフィルム部材５００の残りの部分に到達する光は、フィルム部材５００で一部は吸収され、一部は反射される可能性がある。
【００３４】
ここで、本発明によるフィルム部材５００は、光提供部１００から第２側に向う光のうち、光提供部１００の第１側に向って反射される光量を減少させる。よって、フィルム部材５００で反射された光量と、第２表示パネル３１０の裏面で反射された光量との差が小さいので、第１表示パネル２１０で表示される画像の輝度が均一となり、開口（ＯＰ）の形態が第１表示パネル２００に投影されることを防止することができる。これによって、表示装置１０００の表示品質を向上できる。
【００３５】
フィルム部材５００は、例えば、ポリエチレンテレフタレート（ＰｏｌｙＥｔｈｙｌｅｎｅ  Ｔｅｒｅｐｈｔｈａｌａｔｅ；  ＰＥＴ）で形成することができる。
【００３６】
一方、フィルム部材５００を採用することによって、このフィルム部材５００が表示装置１０００の外周を定義するため、従来の表示装置が必要とするシャーシを省略することができる。よって、表示装置１０００の構造を単純化することができる。
【００３７】
フィルム部材５００は、光提供部１００の第１側に向って反射される光量を減少させるために着色することができる。フィルム部材５００の色により、フィルム部材５００に到達する光の反射率が変化する。よって、光提供部１００の第１側に向って反射される光量を減少させるためには、フィルム部材５００を濃い色で形成することができ、例えば、黒色または灰色に形成することができる。
【００３８】
表示装置１０００は、選択的に第１光学部材６００及び／または第２光学部材７００を更に含むことができる。
【００３９】
第１及び第２光学部材（６００、７００）は、それぞれ光提供部１００の第１及び第２側に向う光の光学特性を向上させる。例えば、第１及び第２光学部材（６００、７００）は、それぞれ拡散シート、プリズムシート、輝度強化フィルム（Ｄｕａｌ  Ｂｒｉｇｈｔｎｅｓｓ  Ｅｎｈａｎｃｅｍｅｎｔ  Ｆｉｌｍ；ＤＢＥＦ）などを含むことができる。
【００４０】
拡散シートは輝度均一性を向上させ、プリズムシートは視野角の低下を改善する。輝度強化フィルムは、輝度を向上させ、光視野角を広くする。
【００４１】
図１及び図２に示したように、第１光学部材６００は、収納部４００の下部に配置される。これとは違って、第１光学部材６００は、収納部４００の上部に配置することもできる。
【００４２】
フィルム部材５００は、開口（ＯＰ）の周縁部であって第２表示パネル部３００の周辺部に対応する位置に、第２表示パネル部３００の周辺部に結合するための結合領域（ＣＡ）を有する。したがって、第２表示パネル部３００は、結合領域（ＣＡ）においてフィルム部材５００に結合される。
【００４３】
以下、第２表示パネル部３００とフィルム部材５００との結合を図面に基づいてより詳細に説明する。
図３は、図１に示した第２表示パネルとフィルム部材との結合を説明するための断面図である。
【００４４】
図３に示すように、第２表示パネル部３００は、第２表示パネル３１０及びモールドフレーム３２０を含む。モールドフレーム３２０は、第２表示パネル３１０を収納する。
【００４５】
図３に示したように、第２表示パネル部３００のモールドフレーム３２０は、フィルム部材５００の結合領域（ＣＡ）に結合される。具体的に、モールドフレーム３２０の周辺部は、結合領域（ＣＡ）に対応し、結合領域（ＣＡ）は、第２表示パネル３１０を収納するモールドフレーム３２０の周辺部に結合される。また、フィルム部材５００の結合領域（ＣＡ）は接着部材１０によってモールドフレーム３２０の周辺部と結合される。接着部材１０は、例えば、両面テープで形成することができる。
【００４６】
ここで、結合領域（ＣＡ）を含むフィルム部材５００は、第２表示パネル３１０の有効表示領域と重ならない。よって、フィルム部材５００によって第２表示パネル３１０の有効表示領域が実質的に減少しない。
【００４７】
図１〜図３に示したように、結合領域（ＣＡ）は、四角形の形状を有する開口（ＯＰ）に隣接して四角形の形状の４辺に対応して形成される。これとは違って、結合領域（ＣＡ）は四角形の形状を有する開口（ＯＰ）に隣接して四角形の形状の１辺、２辺、または３辺に対応して形成することができる。
【００４８】
図４は、図１に示したフィルム部材とモールドフレームとの結合を説明するための斜視図である。
図４に示すように、収納部４００は、フィルム部材５００を収納して支持するための段差部４１０を有する。
【００４９】
フィルム部材５００及び収納部４００は、接着部材２０によって結合される。具体的に、フィルム部材５００の周辺部は、収納部４００の段差部４１０に接着部材２０によって結合される。よって、フィルム部材５００の離脱及び移動を防止することができる。
【００５０】
接着部材２０は、例えば、両面テープで形成することができる。
図５は、本発明の他の実施例による表示装置の第２表示パネルとフィルム部材の結合を説明するための斜視図を示す。本発明の他の実施例による表示装置は、整列部材を除くと図１〜図４に示した表示装置と実質的に同一であるので、重複する部分についての詳細な説明は省略する。
【００５１】
図５に示すように、本発明の他の実施例による表示装置のフィルム部材５００には整列部材５１０が形成される。
【００５２】
整列部材５１０は、結合領域（ＣＡ）に隣接して形成され、第２表示パネル部３００の少なくとも一側をガイドし、第２表示パネル部３００をより正確な位置に整列（ａｌｉｇｎ）させることができる。一実施例で、整列部材５１０は、第２表示パネル部３００のモールドフレーム３２０の向い合う両側をガイドする。したがって、第２表示パネル部３００を装着するとき、第２表示パネル部３００は、整列部材５１０によってガイドされ、より正確な位置に配置することができる。
【００５３】
図５に示したように、整列部材５１０は、結合領域（ＣＡ）の定義する四角形の形状の２辺に隣接して配置される。これとは違って、整列部材５１０は、結合領域（ＣＡ）が定義する四角形の形状の１辺、３辺、または４辺に隣接して配置することができる。
【００５４】
図６は、本発明の更に他の実施例による表示装置の第２表示パネルとフィルム部材との結合を説明するための斜視図を示す。本発明の更に他の実施例による表示装置は、モールドフレームを除くと図５に示した表示装置と実質的に同一であるので、重複する部分の詳細な説明は省略する。
【００５５】
図６に示すように、本発明の更に他の実施例による表示装置の第２表示パネル部３００は、モールドフレーム３２０を含まない。したがって、第２表示パネル部３００は、フィルム部材５００上に直接配置される。
【００５６】
図６に示したように、第２表示パネル部３００の第２表示パネル３１０は、フィルム部材５００の結合領域（ＣＡ）と結合する。具体的に、第２表示パネル３１０の周辺部は、結合領域（ＣＡ）に対応し、結合領域（ＣＡ）は、第２表示パネル３１０の周辺部に直接結合される。また、フィルム部材５００の結合領域（ＣＡ）は、接着部材（図示せず）によって第２表示パネル３１０の周辺部と結合される。接着部材は、例えば、両面テープで形成することができる。
【００５７】
このような構成によれば、モールドフレーム３２０が省略されるので、図６に示した開口（ＯＰ）は、図１〜図５に示した開口（ＯＰ）に比べて多少小さく形成することができる。
図６に示したように、フィルム部材５００に、整列部材５１０を形成することができる。
【００５８】
整列部材５１０は、結合領域（ＣＡ）に隣接して形成され、第２表示パネル部３００の一側をガイドし、第２表示パネル部３００をより正確な位置に整列させることができる。一実施例で、整列部材５１０、第２表示パネル部３００の第２表示パネル３１０の向い合う両側をガイドする。したがって、第２表示パネル部３００を装着するとき、第２表示パネル部３００は、整列部材５１０によってガイドされ、より正確な位置に配置することができる。
【００５９】
図６に示したように、フィルム部材５００には整列部材５１０が形成されるが、これとは違って、整列部材５１０を省略することもできる。
【００６０】
図７は、本発明の更に他の実施例による表示装置の第２表示パネルと光学部材との結合を説明するための斜視図である。本発明の更に他の実施例による表示装置は、第２光学部材の位置及び第２表示パネルの結合方式を除くと、図６に示した表示装置と実質的に同一であるので、重複する部分についての詳細な説明は省略する。
【００６１】
図７に示すように、本発明の更に他の実施例による表示装置の第２光学部材７００は、図１の場合とは異なり、フィルム部材５００と収納部４００との間に位置して収納部４００に収納される。
【００６２】
第２光学部材７００は、第２表示パネル部３００の周辺部に結合するために、第２表示パネル部３００の周辺部に対応する結合領域（ＣＡ）を有する。ここで、第２光学部材７００の結合領域（ＣＡ）は、接着部材（図示せず）によって第２表示パネル部３００の周辺部と結合することができる。接着部材は、例えば、両面テープで形成することができる。
【００６３】
図７に示したように、第２表示パネル部３００は、図６に示した第２表示パネル部３００を採用する。これとは違って、第２表示パネル部３００は、図１〜図３に示した第２表示パネル部３００を採用してもよい。
【図面の簡単な説明】
【００６４】
【図１】本発明の一実施例による表示装置を示した分解図である。
【図２】図１のＩ−Ｉ’に沿って見た断面図である。
【図３】図１に示した第２表示パネルとフィルム部材との結合を説明する斜視図である。
【図４】図１に示したフィルム部材とモールドフレームとの結合を説明するための斜視図である。
【図５】本発明の他の実施例による表示装置の第２表示パネルとフィルム部材との結合を説明するための斜視図である。
【図６】本発明の更に他の実施例による表示装置の第２表示パネルとフィルム部材との結合を説明するための斜視図である。
【図７】本発明の更に他の実施例による表示装置の第２表示パネルと光学部材との結合を説明するための斜視図である。
【符号の説明】
【００６５】
１００    光提供部
１１０    光源
１２０    導光部材
２００    第１表示パネル部
２１０    第１表示パネル
３００    第２表示パネル部
３１０    第２表示パネル
３２０    モールドフレーム
４００    収納部
５００    フィルム部材
５１０    整列部材
１０００    表示装置
【図１】
2008197658.tif 000003
【図２】
2008197658.tif 000004
【図３】
2008197658.tif 000005
【図４】
2008197658.tif 000006
【図５】
2008197658.tif 000007
【図６】
2008197658.tif 000008
【図７】
2008197658.tif 000009